(57)【要約】      （修正有）【課題】重く未凝固の状態にある生コンクリートを比較的容易に操作でき、作業能率を向上させると共に、台車や運搬容器に、手足を挟さんだり、あるいは、背腹や頭を容器やコンクリートの壁にぶっつけたりする危険を低下させることができる生コンクリート運搬用小型台車の提供。【解決手段】矩形のフレーム１７の下に複数個の車輪、当該矩形のフレーム１７の上に立設する左右の支持台３、その間に生コンクリートを挿入する容器４、前記左右の支持台３には、容器を前転させるための歯車（ギア・ラック）５、生コンクリートを挿入する容器４の前方には、生コンクリートを排出するための傾斜面１６、矩形のフレーム１７の上面には容器の傾斜角を調節できるストッパー７を有する。【選択図】図１
2018025068.tif 000002
【特許請求の範囲】
【請求項１】
生コンクリート運搬用小型台車であって、矩形のフレーム１７の下に複数個の車輪、当該矩形のフレーム１７の上に立設する左右の支持台３、その間に生コンクリートを挿入する容器４、前記左右の支持台３には、容器を前転させるための歯車（ギア・ラック）５、生コンクリートを挿入する容器４の前方には、生コンクリートを排出するための傾斜面１６、矩形のフレーム１７の上面には容器の傾斜角を調節できるストッパー７を有することを特徴とする生コンクリート運搬用小型台車。
【請求項２】
生コンクリートを挿入する容器４の中心形状がほぼ矩形であり、当該矩形の容器の前方に、先細りの生コンクリート排出口６を備えていることを特徴とする請求項１記載の生コンクリート運搬用小型台車。
【請求項３】
矩形のフレーム１７の下に配置した車輪は、合計６個であることを特徴とする請求項１又は請求項２に記載の生コンクリート運搬用小型台車。
【請求項４】
生コンクリートを排出側とは反対側の容器の上に手押し用のハンドル１２を備えていることを特徴とする請求項１〜請求項３のいずれか一項に記載の生コンクリート運搬用小型台車。
【請求項５】
容器を回転する軸は、容器の重心点であることを特徴とする請求項１〜請求項４のいずれか一項に記載の生コンクリート運搬用小型台車。
【請求項６】
回転軸１５を両側に設け、矩形のフレーム１７の上に立設する左右の支持台３の上に、容器を前転させるための回転軸１５と同ピッチ径のギア・ラック５を設けることを特徴とする請求項１〜請求項５のいずれか一項に記載の生コンクリート運搬用小型台車。
【請求項７】
前２個の車輪と後２個の車輪の間に、中央の車輪２個を配置すると共に、中央の車輪２個を、前２個の車輪と後２個の車輪よりも、やや高くなるように設計し、移動時にシーソーのように、動かすことができるようにした請求項１〜請求項６のいずれか一項に記載の生コンクリート運搬用小型台車。
【発明の詳細な説明】
【技術分野】
【０００１】
本発明は、人力で動かすことができる生コンクリート運搬用台車、特に小型の生コンクリート運搬台車に関する。
【背景技術】
【０００２】
高層のビルで、ビルの建設又はビルの修理をする時に、生コンクリートを使用する場合がある。特に、ビルの建設現場では、生コンクリートの使用頻度が高い。
【０００３】
一旦、ビルを建設した場合には、生コンクリートをクレーン車で運搬することができないので、作業用のエレベータ又は既に建設したエレベータを使用しなければならない。
【０００４】
従来は、既存の平たい台車に、生コンクリートを手作業で載せ、これを運搬するという手段が採られていた。生コンクリートは重く、未凝固の状態にあるので、作業能率が悪く、台車や運搬容器に、手足を挟んだり、背腹や頭を容器やコンクリートの壁にぶっつけたりする、危険を伴うという問題があった。
【発明の開示】
【発明が解決しようとする課題】
【０００５】
本発明の解決しようとする課題は、前記のような、重く未凝固の状態にある生コンクリートを、容易にかつ安定して操作でき、作業能率を向上させると共に、台車や運搬容器に、手足を挟んだり、背腹や頭を容器やコンクリートの壁にぶっつけたりする危険を、低下させることができる装置を提供することを、課題とする。
【課題を解決するための手段】
【０００６】
本発明は、次の発明を提供するものである。
１）生コンクリート運搬用小型台車１であって、矩形のフレーム１７の下に複数個の車輪２、当該矩形のフレーム１７の上に立設する左右の支持台３、その間に生コンクリートを挿入する容器４、前記左右の支持台３には、容器を前転させるための歯車（ギア・ラック）５、生コンクリートを挿入する容器４の前方には、生コンクリートを排出するための傾斜面１６、矩形のフレーム１７の上面には容器の傾斜角を調節できるストッパー７を有することを特徴とする生コンクリート運搬用小型台車。
【０００７】
２）生コンクリートを挿入する容器４の中心形状がほぼ矩形であり、当該矩形の容器の前方に、先細りの生コンクリート排出口６を備えていることを特徴とする前記１）に記載の生コンクリート運搬用小型台車。
３）矩形のフレーム１７の下に配置した車輪は、合計６個であることを特徴とする前記１）又は前記２）に記載の生コンクリート運搬用小型台車。
【０００８】
４）生コンクリートを排出側とは反対側の容器の上に手押し用のハンドル１２を備えていることを特徴とする前記１）〜３）のいずれか一項に記載の生コンクリート運搬用小型台車。
５）容器を回転する軸は、容器の重心点であることを特徴とする前記１）〜４）のいずれか一項に記載の生コンクリート運搬用小型台車。
【０００９】
６）回転軸の両側に設け、矩形のフレーム１７の上に立設する左右の支持台３の上に、容器を前転させるための回転軸と同ピッチ径のギア・ラック５を設けることを特徴とする前記１）〜前記５）のいずれか一項に記載の生コンクリート運搬用小型台車。
７）前２個の車輪と後２個の車輪の間に、中央の車輪２個を配置すると共に、中央の車輪２個を、前２個の車輪と後２個の車輪よりも、やや高くなるように設計し、移動時にシーソーのように、動かすことができるようにした前記１）〜前記６）のいずれか一項に記載の生コンクリート運搬用小型台車。
【発明の効果】
【００１０】
本発明の中心的な課題は、生コンクリート運搬用小型台車１であって、矩形のフレーム１７の下に複数個の車輪２、当該矩形のフレーム１７の上に立設する左右の支持台３、その間に生コンクリートを挿入する容器４からなり、前記左右の支持台３には、容器を前転させるための歯車（ギア・ラック）５、生コンクリートを挿入する容器４の前方には、生コンクリートを排出するための傾斜面１６、矩形のフレーム１７の上面には容器の傾斜角を調節できるストッパー７を設けた生コンクリート運搬用小型台車を提供する。
これにより、未凝固の状態にある、重い生コンクリートを比較的容易に操作できるようにして、作業能率を向上させ、かつ、台車や運搬容器に、手足を挟んだり、背腹や頭を容器やコンクリートの壁にぶっつけたりする危険を低下させることができるという、優れた効果を有するものである。
【発明を実施するための最良の形態】
【００１１】
次に、図面に基づいて本発明の具体例を示すが、以下に示す図面に基づく説明は、本発明の理解を容易にするためのものであり、本願発明はこれらの具体例に制限されるものではない。すなわち、本願発明の技術思想に基づく構造上の変形、実施態様、装置は、全て本願発明に包含されるものである。
【００１２】
図１は、生コンクリート運搬用小型台車１の斜視図であるが、このように、本発明の生コンクリート運搬用小型台車１は、矩形のフレーム１７の下に複数個の車輪２を配置している。車輪数は、図１では、合計６個としているが、この配置により車輪数が少なく、かつ安定し、操作性が良くなり、その場での旋回も可能となる。
【００１３】
これよりも車輪数が少ないと、安定性が欠けていく。他方、車輪数が多いと、操作が煩雑となり、車輪が邪魔となる場合が出てくるので、車輪数は台車のサイズに応じて、適宜選択する。
図２は、本発明の、生コンクリート運搬用小型台車１の、上面図、図３は、本発明の、生コンクリート運搬用小型台車１の、側面図（横と縦）、図４は、本発明の、生コンクリート運搬用小型台車１を操作した例を示す説明図（横から見た図）、図５は空の生コンクリート運搬用小型台車１を、傾斜させた斜視図を示す。さらに、図６は回転軸１５の詳細図である。
【００１４】
図１〜図６に示すように、当該矩形のフレーム１７の上に立設する左右の支持台３、その間に生コンクリートを挿入する容器４、前記左右の支持台３には、容器を前転させるための歯車（ギア・ラック）５、生コンクリートを挿入する容器４の前方には、生コンクリートを排出するための排出口６、矩形のフレーム１７の上面には容器の傾斜角を調節できるストッパー７を配置することが、効率が良い生コンクリート運搬用小型台車と言える。
【００１５】
また、生コンクリートを挿入する容器４の中心形状がほぼ矩形であり、当該矩形の容器４の前方に、先細りの生コンクリート排出用のトレイ（排出口）６を備えている。これにより、装置全体が軽量で、操作が簡便となる。
図７は、本願発明の生コンクリート運搬用小型台車を傾斜させ、容器４の排出口６から生コンクリートを排出する様子を示す図である。台車は傾斜と共に、前進しているのが分る。
一方、図８は、従来型の生コンクリートを排出する様子を示す図である。図８では、排出口は台車の淵にあるので、生コンクリートのスムーズな排出ができないという、問題がある。
【００１６】
生コンクリート排出口６の反対側の容器４の上に、手押しハンドル１２を設けるのが良い。これにより手動で、生コンクリート運搬用小型台車１を簡単に操作することを可能とする。また、複数人で運搬・操作するために、着脱可能な取手９を付ける。
【００１７】
容器を回転する回転軸１５は、容器４の重心点であることが望ましい。これにより生コンクリート運搬用小型台車１の安定性と操作性を確保できる。
回転軸１５は容器の左右側面に取付け、容器重心点を通過する位置に取付ける。これによって、生コンクリートの入った重い容器を軽く前転させることができる。
【００１８】
さらに、回転軸１５を両側に設け、矩形のフレーム１７の上に立設する左右の支持台３の上に、容器４を前転させるための回転軸１５と同ピッチ径のギア・ラック５を設けることが望ましい。これにより、構造を簡単にし、操作が容易となるようにした生コンクリート運搬用小型台車１を提供できる。
【００１９】
前２個の車輪２と後２個の車輪２の間に、中央の車輪２を、それぞれ２個配置し、かつ中央の車輪２個を、前２個の車輪と後２個の車輪よりも、やや高くなるようにすると、移動時にシーソーのように、動かすことができる。これも亦、本発明の生コンクリート運搬用小型台車１の操作を、より容易にすることが可能となる。
【産業上の利用可能性】
【００２０】
生コンクリート運搬用小型台車１について、矩形のフレーム１７の下に複数個の車輪２を設け、また、当該矩形のフレーム１７の上に立設する左右の支持台３、その間に生コンクリートを挿入する容器４、前記左右の支持台３には、容器を前転させるための歯車（ギア・ラック）５、生コンクリートを挿入する容器４の前方には、生コンクリートを排出するための傾斜面１６、矩形のフレーム１７の上面には容器の傾斜角を調節できるストッパー７を設けることにより、重く未凝固の状態にある生コンクリートを比較的容易に操作でき、作業能率を向上させると共に、台車や運搬容器に、手足を挟さんだり、あるいは、背腹や頭を容器やコンクリートの壁にぶっつけたりする危険を低下させることができる、優れた効果を有する。また、本発明は、容器が前転する時に、支持台３を回転軸１５が転がり、移動し、排出口がフレームより前方に出るため、生コンクリートの排出がよりスムーズに行うことができる。以上、本願発明は、産業上の利用可能性が高く有用な発明である。
【図面の簡単な説明】
【００２１】
【図１】本発明の、生コンクリート運搬用小型台車の、斜視図である。
【図２】本発明の、生コンクリート運搬用小型台車の、上面図である。
【図３】本発明の、生コンクリート運搬用小型台車の、側面図（横と縦）である。
【図４】本発明の、生コンクリート運搬用小型台車を操作した例を示す説明図（横から見た図）である。
【図５】空の生コンクリート運搬用小型台車を、傾斜させた斜視図である。
【図６】回転軸１５の詳細図である。
【図７】生コンクリートを排出させるために、本発明の生コンクリート運搬用小型台車を、前進移動させながら、徐々に傾斜させる様子を示す図である。
【図８】従来型の生コンクリート運搬用小型台車であり、生コンクリート運搬用小型台車を傾斜させることはできるが、台車を前進移動させることはできない。
【符号の説明】
【００２２】
１：コンクリート搬送台車
２：車輪
３：支持台
４：容器
５：ギア・ラック
６：排出口
７：ストッパー
８：フォークポケット
９：着脱取手（足場パイプ４０Ａ取付可能）
１０：吊フック（４か所）
１１：容量目盛（１００Ｌ、１５０Ｌ、２００Ｌ）
１２：手押しハンドル
１３：ロック装置
１４：排出ストッパー
１５：回転軸
１６：傾斜面
１７：フレーム
【図１】
2018025068.tif 000003
【図２】
2018025068.tif 000004
【図３】
2018025068.tif 000005
【図４】
2018025068.tif 000006
【図５】
2018025068.tif 000007
【図６】
2018025068.tif 000008
【図７】
2018025068.tif 000009
【図８】
2018025068.tif 000010